(57)【要約】【課題】収納空間の開口部を開閉する折れ戸の位置固定ヒンジで軸支される戸単体を床面側で支持する床側位置固定ヒンジとして効果的に利用できる戸支持装置を提供する。【解決手段】戸単体９Ａに支持させた垂直支軸１９の下端を床面２側に設けられた支持部材１７の軸受け用筒体２５に嵌合させ、垂直支軸１９を戸単体９Ａに対して軸心方向に移動させて戸単体９Ａの床面上高さを調整する高さ調整手段が、垂直支軸１９の回り止め手段３０，３１と、垂直支軸１９に設けられた螺軸部１９ｂに螺嵌し且つ戸単体９Ａに対して自転のみ可能に支持された回転体２１ａと、戸単体９Ａの裏面側に回転操作端が露出するように戸単体９Ａに、垂直支軸１９に対し直交する水平向きで自転のみ可能に支持された回転操作軸２１ｂと、この回転操作軸２１ｂと回転体２１ａとを連動させる歯車２０ａ，２０ｂとから構成される。【選択図】図７
2011144501.tif 000002
【特許請求の範囲】
【請求項１】
垂直軸心の周りに回転して開閉動作する戸単体を前記垂直軸心位置で床面上に支持する戸支持装置であって、戸単体に前記垂直軸心と同心状に支持させた垂直支軸の下端を床面側に設けられた支持部材の支持部に嵌合させ、前記垂直支軸を戸単体に対して軸心方向に移動させて戸単体の床面上高さを調整する高さ調整手段が設けられた戸支持装置において、前記高さ調整手段が、前記垂直支軸の回り止め手段と、前記垂直支軸に設けられた螺軸部と、この螺軸部に螺嵌し且つ戸単体に対して自転のみ可能に支持された回転体と、戸単体の裏面側に回転操作端が露出するように戸単体に、前記垂直支軸に対し直交する水平向きで自転のみ可能に支持された回転操作軸と、この回転操作軸と前記回転体とを連動させる歯車とから構成されている、戸支持装置。
【請求項２】
前記垂直支軸は、大径円柱部と、この大径円柱部から上向きに延出する螺軸部と、前記大径円柱部から下向きに突出して前記支持部材の支持部に嵌合する支点軸部とから構成され、戸単体には、下端が戸単体の下端と略面一に戸単体の裏面側から埋設固定されるケースが設けられ、このケースは、結合用ネジにより一体化されるケース本体とケース蓋部とから構成され、前記垂直支軸は、その大径円柱部において前記ケース本体とケース蓋部との間に軸心方向昇降自在に保持され、前記回転体は前記ケース本体とケース蓋部との間に自転のみ可能に保持され、前記回転操作軸は前記ケース本体に設けられた貫通軸孔で自転のみ可能に支持され、前記歯車は、前記回転体と前記回転操作軸とに設けられて互いに咬合する傘歯車から成り、前記回り止め手段は、前記垂直支軸の大径円柱部から突設された回り止め用ピンと、この回り止め用ピンが嵌合するように前記ケース蓋部に設けられた貫通長孔とで構成されている、請求項１に記載の戸支持装置。
【請求項３】
前記支持部材の支持部は、前記垂直支軸の支点軸部が内嵌する軸受け用筒体から構成され、前記垂直支軸の支点軸部には、大径円柱部の下端と前記軸受け用筒体との間に挟まれるブッシュが遊嵌されている、請求項２に記載の戸支持装置。
【請求項４】
前記ケースには、前記軸受け用筒体の上端部が相対回転自在に内嵌する大径の孔部が前記支点軸部と同心状に設けられている、請求項３に記載の戸支持装置。
【発明の詳細な説明】
【技術分野】
【０００１】
本発明は、収納空間を開閉する折れ戸のスライドしない戸単体の基部を支持する支持手段として利用できる戸支持装置に関するものである。
【背景技術】
【０００２】
折れ戸装置は、特許文献１にも記載される通り、２枚の戸単体の内側辺どうしをセンターヒンジにより折り畳み自在に連結して成る折れ戸の一方の戸単体の外側辺を、位置固定ヒンジにより定位置に開閉自在に軸支すると共に、他方の戸本体の外側辺を、折れ戸開閉方向に沿って配設されたスライドガイドレールに係合する可動体に開閉自在に軸支して構成される。而して、位置固定ヒンジにより定位置に開閉自在に軸支される側の戸単体は、上下複数段の位置固定ヒンジによって支持することができない場合、即ち、前記位置固定ヒンジとして、折れ戸が開閉する収納空間内に架設された中間棚に取り付けられる１つの位置固定ヒンジが使用される場合などにおいては、当該位置固定ヒンジの垂直支軸と同心状の垂直支軸で戸単体の下端を回転自在に支持する戸支持装置を使用する必要が生じる。このような戸支持装置として使用できるような従来の戸支持装置、即ち、垂直軸心の周りに回転して開閉動作する戸単体を前記垂直軸心位置で床面上に支持する戸支持装置であって、戸単体に前記垂直軸心と同心状に支持させた垂直支軸の下端を床面側に設けられた支持部材の支持部に嵌合させ、前記垂直支軸を戸単体に対して軸心方向に移動させて戸単体の床面上高さを調整する高さ調整手段が設けられた戸支持装置は知られているが、従来のこの種の戸支持装置は、前記高さ調整手段として、戸単体側に固定された雌ネジ孔付き部材に螺合貫通する螺軸部を備えた垂直支軸を、戸単体の下端と床面側の支持部材との間で、回転操作するように構成されていた。
【先行技術文献】
【特許文献】
【０００３】
【特許文献１】特開平８−３０３１０５号公報
【発明の概要】
【発明が解決しようとする課題】
【０００４】
しかしながら、上記のような構成の戸支持装置では、戸単体の下端と床面上の支持部材の支持部との間に、スパナなどの工具を差し込んで垂直支軸の回転操作部を回転操作しなければならないので、戸単体の下端の床面上高さを高くする必要があり、戸単体と床面との間の隙間が大きくなってしまう問題点があった。
【課題を解決するための手段】
【０００５】
本発明は、上記のような従来の問題点を解消することのできる戸支持装置を提案するものであって、請求項１に記載の本発明に係る戸支持装置は、後述する実施例との関係を理解し易くするために、当該実施例の説明において使用した参照符号を括弧付きで付して示すと、垂直軸心の周りに回転して開閉動作する戸単体(9A)を前記垂直軸心位置で床面(2)上に支持する戸支持装置であって、戸単体(9A)に前記垂直軸心と同心状に支持させた垂直支軸(19)の下端を床面(2)側に設けられた支持部材(17)の支持部（軸受け用筒体(25)）に嵌合させ、前記垂直支軸(19)を戸単体(9A)に対して軸心方向に移動させて戸単体(9A)の床面上高さを調整する高さ調整手段が設けられた戸支持装置において、前記高さ調整手段が、前記垂直支軸(19)の回り止め手段(30,31)と、前記垂直支軸(19)に設けられた螺軸部(19b)と、この螺軸部(19b)に螺嵌し且つ戸単体(9A)に対して自転のみ可能に支持された回転体(21a)と、戸単体(9A)の裏面側に回転操作端が露出するように戸単体(9A)に、前記垂直支軸(19)に対し直交する水平向きで自転のみ可能に支持された回転操作軸(21b)と、この回転操作軸(21b)と前記回転体(21a)とを連動させる歯車(20a,20b)とから構成される。
【０００６】
上記本発明を実施する場合、具体的には請求項２に記載のように、前記垂直支軸(19)は、大径円柱部(19a)と、この大径円柱部(19a)から上向きに延出する螺軸部(19b)と、前記大径円柱部(19a)から下向きに突出して前記支持部材(17)の支持部（軸受け用筒体(25)）に嵌合する支点軸部(19c)とから構成し、戸単体(9A)には、下端が戸単体(9A)の下端と略面一に戸単体(9A)の裏面側から埋設固定されるケース(18)を設け、このケース(18)は、結合用ネジ(27)により一体化されるケース本体(26)とケース蓋部(28)とから構成し、前記垂直支軸(19)は、その大径円柱部(19a)において前記ケース本体(26)とケース蓋部(28)との間に軸心方向昇降自在に保持させ、前記回転体(21a)は、前記ケース本体(26)とケース蓋部(28)との間に自転のみ可能に保持させ、前記回転操作軸(21b)は、前記ケース本体(26)に設けられた貫通軸孔(26b)で自転のみ可能に支持させ、前記歯車は、前記回転体(21a)と前記回転操作軸(21b)とに設けられて互いに咬合する傘歯車(20a,20b)から構成し、前記回り止め手段は、前記垂直支軸(19)の大径円柱部(19a)から突設された回り止め用ピン(31)と、この回り止め用ピン(31)が嵌合するように前記ケース蓋部(28)に設けられた貫通長孔(30)とで構成することができる。
【０００７】
更に、請求項３に記載のように、前記支持部材(17)の支持部は、前記垂直支軸(19)の支点軸部(19c)が内嵌する軸受け用筒体(25)から構成し、前記垂直支軸(19)の支点軸部(19c)には、大径円柱部(19a)の下端と前記軸受け用筒体(25)との間に挟まれるブッシュ(29)を遊嵌しておくことができる。又、この場合、請求項４に記載のように、前記ケース(18)には、前記軸受け用筒体(25)の上端部が相対回転自在に内嵌する大径の孔部(26c,28a)を前記支点軸部(19c)と同心状に設けておくことができる。
【発明の効果】
【０００８】
請求項１に記載の本発明の構成によれば、戸単体側の垂直支軸の螺軸部に螺嵌する自転のみ可能な回転体を、歯車機構を介して当該回転体と連動する回転操作軸の回転操作により正逆回転駆動し、以て、床面側の支持部材の支持部で支持された垂直支軸に対して前記回転体と共に戸単体を昇降運動させて、床面上の戸単体の高さを調整するものであり、前記回転操作軸は、その回転操作端が戸単体の裏面側に露出するものであって、戸単体の下端より上方に位置するものであるから、戸単体の下端と床面との間に、垂直支軸の回転操作部に対して工具を差し込むための空間を確保する必要がなく、戸単体の下端を床面上に十分に接近させて、両者の隙間を最小限に狭めることができる。
【０００９】
尚、本発明は、請求項２に記載の構成を採用することにより、容易に実施することができると共に、戸単体に対する組付けも容易になる。又、請求項３に記載の構成によれば、床面側の支持部材の支持部と支点軸部の下端との間で戸単体側の荷重を受けるように構成する場合と比較して、小径の支点軸部を採用しても荷重受け面の面積を大きくすることができ、大型の戸単体であっても無理なく支持することができる。更に、請求項４に記載の構成によれば、支点軸部と比較して大径の軸受け用筒体で戸単体の揺れを受け止めることができ、耐久性も向上する。
【図面の簡単な説明】
【００１０】
【図１】Ａ図は折れ戸を展開して収納空間を閉じた状態を示す横断平面図、Ｂ図は折れ戸が折り畳み展開行程の中間位置にある状態での横断平面図である。
【図２】折れ戸を折り畳んで収納空間を開いた状態を示す横断平面図である。
【図３】図１Ａの折れ戸を収納空間の内側から見た一部切欠き背面図である。
【図４】Ａ図は図１Ａの折れ戸の位置固定ヒンジの位置での一部切欠き縦断側面図、Ｂ図は図１Ａの折れ戸の可動体位置での一部切欠き縦断側面図である。
【図５】戸支持装置を示す要部の背面図である。
【図６】戸支持装置を示す要部の縦断正面図である。
【図７】戸支持装置を示す要部の縦断側面図である。
【図８】戸支持装置を示す要部の横断平面図である。
【図９】Ａ図は戸支持装置のケース本体を示す背面図、Ｂ図は戸支持装置のケース蓋部を示す正面図である。
【図１０】戸支持装置の分解状態での縦断側面図である。
【図１１】戸支持装置の分解状態での横断平面図である。
【図１２】位置固定ヒンジを示す要部の横断平面図である。
【図１３】位置固定ヒンジを示す要部の縦断側面図である。
【図１４】位置固定ヒンジを示す要部の背面図である。
【図１５】位置固定ヒンジの分解状態での横断平面図である。
【図１６】位置固定ヒンジの分解状態での縦断側面図である。
【図１７】可動体と戸単体との間のヒンジを示す要部の縦断側面図である。
【図１８】可動体と戸単体との間のヒンジを示す要部の横断平面図である。
【図１９】可動体と戸単体との間のヒンジを示す要部の背面図である。
【図２０】可動体と戸単体との間のヒンジの分解状態での縦断背面図である。
【図２１】可動体と戸単体との間のヒンジを示す要部の縦断側面図である。
【図２２】可動体と戸単体との間のヒンジの分解状態での横断平面図である。
【図２３】可動体と戸単体との間のヒンジの横断平面図である。
【発明を実施するための形態】
【００１１】
図１〜図４において、１は折れ戸であって、床面２、左右両側壁３，４、及び天井面５によって周囲が取り囲まれている収納空間６の開口を開閉するものである。収納空間６には、折れ戸１の中間高さにおいて中間棚７が架設され、この中間棚７の前側辺の下側には、折れ戸１の開閉方向に沿って直線状のスライドガイドレール８が敷設されている。折れ戸１は、２枚の戸単体９Ａ，９Ｂの内側辺どうしを上下複数段（図示例では３段）のセンターヒンジ１０によって折り畳み展開自在に連結したものである。センターヒンジ１０は、従来周知のものであるから構造の図示と説明は省略する。
【００１２】
折れ戸１の一方の戸単体９Ａの外側辺は、１つの位置固定ヒンジ１１によって中間棚７の前側辺に取り付けられ、折れ戸１の他方の戸単体９Ｂの外側辺は、中間棚７側の前記スライドガイドレール８に係合して折れ戸１の開閉方向に移動自在な可動体１３にヒンジ１４を介して相対揺動自在に連結されている。又、戸単体８の外側辺の下端部と床面２との間には、位置固定ヒンジ１１の垂直支軸１１ａと同心状の垂直支軸を有する戸支持装置１５が介装されている。尚、１２は、図１Ａに示すように、折れ戸１が展開閉じ姿勢にあるときに、戸単体９Ａの外側辺と側壁３との間の隙間及び戸単体９Ｂの外側辺と側壁４との間の隙間を斜め向きにして、外部から収納空間６内を直視し難くすると共に手指の挟み込みを防止するために、両側壁３，４に取り付けられた（好ましくは弾性のある材料から製造された）突条部材である。
【００１３】
尚、図１に示すように、収納空間６を閉じる展開状態の折れ戸１とスライドガイドレール８とは、平面視において互いに平行であり、折れ戸１を構成する２枚の戸単体９Ａ，９Ｂの幅は同一であるが、位置固定ヒンジ１１の垂直支軸１１ａとセンターヒンジ１０の支点軸との間の水平距離Ｌ１が、可動体１３と戸単体９Ｂとの間のヒンジ１４の垂直支軸１４ａとセンターヒンジ１０の支点軸との間の水平距離Ｌ２よりも短くなるように、位置固定ヒンジ１１の垂直支軸１１ａは戸単体９Ａの外側辺よりも内側に入り込ませると共に、ヒンジ１４の垂直支軸１４ａは戸単体９Ｂの外側辺に接近させている。
【００１４】
次に、図５〜図１１に基づいて本発明に係る戸支持装置１５の構造と作用を説明する。この戸支持装置１５は、戸単体９Ａに取り付けられる本体１６と、床面２に取り付けられる床側支持部材１７とから構成されている。本体１６は、ケース１８と、このケース１８に内装される垂直支軸１９、及び傘歯車２０ａ，２０ｂを介して連動連結された回転体２１ａと回転操作軸２１ｂから構成され、床側支持部材１７は、前後方向調整用取付け孔２２と左右方向調整用取付け孔２３とを備えた取付け板２４と、この取付け板２４の先端上側に固着突設された軸受け用筒体２５から構成されている。本体１６のケース１８は、下側辺を除く周辺に取付け用張出板部２６ａを備えたケース本体２６と、このケース本体２６に重ね合わされた状態で複数本の結合用ネジ２７によりケース本体２６に結合一体化されるケース蓋部２８とから構成されている。垂直支軸１９は、ケース本体２６とケース蓋部２８との間に軸心方向に昇降自在に保持される大径円柱部１９ａと、この大径円柱部１９ａから上方に同心状に一体に突設された螺軸部１９ｂと、大径円柱部１９ａから下方に同心状に一体に突設された支点軸部１９ｃとから構成されたもので、支点軸部１９ｃが床側支持部材１７の軸受け用筒体２５に相対回転自在に嵌合する。２９はブッシュであって、支点軸部１９ｃに遊嵌する状態で大径円柱部１９ａと軸受け用筒体２５との間に介装されている。
【００１５】
前記垂直支軸１９の大径円柱部１９ａには、ケース蓋部２８に設けられた垂直上下方向に長い貫通長孔３０に嵌合する回り止め用ピン３１が突設され、この垂直支軸１９が垂直軸心方向の昇降運動のみ可能に構成されている。而して、傘歯車２０ａを一体に備えた回転体２１ａは同心状に雌ネジ孔３２を有するもので、この雌ネジ孔３２において垂直支軸１９の螺軸部１９ｂに螺嵌する状態で、ケース本体２６とケース蓋部２８との間に自転のみ可能に保持され、この傘歯車２０ａに咬合する傘歯車２０ｂを一体に備えた回転操作軸２１が、ケース本体２６に設けられた軸孔２６ｂに内側から自転のみ可能に水平向きに挿通支持され、操作用工具嵌合孔２１ａを端面に備えた当該回転操作軸２１の先端部（回転操作端）がケース本体２６から突出するように構成されている。尚、ケース１８の下端には、ケース本体２６とケース蓋部２８とに跨がって、床側支持部材１７側の軸受け用筒体２５の上端部が相対回転と軸心方向相対移動自在に内嵌する大径の孔部２６ｃ，２８ａが形成されている。
【００１６】
上記構成の戸支持装置１５のケース１８は、その内部の垂直支軸１９が、戸単体９Ａの中間高さに取り付けられている位置固定ヒンジ１１の垂直支軸１１ａと同心状で且つその支点軸部１９ｃが戸単体９Ａの下端から突出するように、戸単体９Ａの下側辺の裏面側に取り付けられる。即ち、戸単体９Ａの下側辺の裏面側には、前記ケース１８の取付け用張出板部２６ａを除く部分が丁度嵌合する凹入部３３が刻設され、この凹入部３３にケース１８を、当該ケース１８の下端と戸単体９Ａの下端とが略面一となる状態に嵌合させた状態で、その取付け用張出板部２６ａが戸単体９Ａの裏面に複数本の取付け用ネジ３４により固定される。一方、戸支持装置１５の床側支持部材１７は、ケース１８の下側から下向きに突出している垂直支軸１９の支点軸部１９ｃが軸受け用筒体２５に嵌合すると共に、軸受け用筒体２５の上端部がケース１８の下端の大径孔部２６ｃ，２８ａ内に嵌合する状態で、取付け板２４が備える前後方向調整用取付け孔２２と左右方向調整用取付け孔２３をそれぞれ貫通する取付け用ネジ３５ａ，３５ｂにより、床面２上に前後左右両方向に位置調整されて取り付けられる。
【００１７】
上記構成の戸支持装置１５によれば、回転操作軸２１ｂの先端の操作用工具嵌合孔２１ｃを利用して当該回転操作軸２１ｂを戸単体９Ａの裏側から正逆回転操作することにより、傘歯車２０ａ，２０ｂを介して回転体２１ａを正逆任意の方向に回転させることができる。この回転体２１ａは、自転できない垂直支軸１９の螺軸部１９ｂに雌ネジ孔３２において螺嵌しているので、当該回転体２１ａの正逆回転により、床側支持部材１７の軸受け用筒体２５に自転のみ可能に支持された状態の垂直支軸１９の螺軸部１９ｂに対して、回転体２１ａを自転のみ可能に支持するケース１８が取り付けられている戸単体９Ａ自体が昇降運動することになる。即ち、戸支持装置１５によって、折れ戸１の床面２に対する高さ調整が可能になっている。
【００１８】
次に、図１２〜図１６に基づいて位置固定ヒンジ１１の構造を説明する。この位置固定ヒンジ１１が取り付けられる中間棚７は、棚板３６とその前側辺の下側に取り付けられた角材から成る支持部材３７から構成されている。而して位置固定ヒンジ１１は、前記支持部材３７の前面に取り付けられる軸受け部材３８と、戸単体９Ａの裏面に埋設され且つ凹窪部３９ａを有する埋設部材３９と、この埋設部材３９の凹窪部３９ａに遊嵌する前記軸受け部材３８の先端軸受け部３８ａと当該埋設部材３９とを相対回転自在に連結する垂直支軸１１ａから構成されている。
【００１９】
軸受け部材３８は、前記中間棚７の前側辺、即ち、支持部材３７の前面に複数本の取付け用ネジ４０により取り付けられる平面視Ｌ形の金属板製の取付け板４１と、この取付け板４１の先端部に取り付けられて前記先端軸受け部３８ａを形成する合成樹脂製の軸受け部品４２とで構成されている。前記取付け板４１の前方に突出する垂直板部４１ａの先端には、軸受け部品４２を上下から挟む突出片４１ｂ，４１ｃが折曲連設され、この突出片４１ｂ，４１ｃ間に嵌合した軸受け部品４２が、取付け板４１の垂直板部４１ａ及び上下両突出片４１ｂ，４１ｃとそれぞれ結合用ネジ４３により結合一体化されている。軸受け部品４２には、垂直支軸１１ａが挿通される垂直向きの貫通孔４４が設けられている。
【００２０】
埋設部材３９は、戸単体９Ａの裏面側に刻設された凹部４５に嵌め込まれる合成樹脂製の外側ケース部材４６と、この外側ケース部材４６に嵌合する内側嵌合部材４７とから構成されている。外側ケース部材４６は、縦長長方形の前記凹窪部３９ａを形成するもので、その両側辺には、戸単体９Ａの裏面に当接する張出突条部４６ａ，４６ｂを備え、上下両内側端面には、垂直支軸１１ａの上下両端部が遊嵌する窪み部４６ｃが形成され、更にその左右両側壁部には、内側に斜めに張り出す抜け止め用舌片４６ｄが一体に切欠き形成されている。内側嵌合部材４７は、外側ケース部材４６の内側に丁度嵌合し得る幅の帯状金属板を折曲して構成されたもので、外側ケース部材４６内に嵌合するコ形部分４８、当該コ形部分４８の両端から連設された一対の取付け板部４９を備えている。コ形部分４８の上下両側壁部４８ａ，４８ｂには、垂直支軸１１ａが挿通される貫通孔５０が同心状に穿設されている。尚、内側嵌合部材４７におけるコ形部分４８の上下両側壁部４８ａ，４８ｂ間の間隔は、軸受け部材３８における先端軸受け部３８ａの上下高さよりも十分に広いものである。
【００２１】
上記構成の位置固定ヒンジ１１は、軸受け部材３８における先端軸受け部３８ａ（軸受け部品４２）を内側嵌合部材４７の上下両側壁部４８ａ，４８ｂ間に嵌めると共に、上下両側壁部４８ａ，４８ｂの貫通孔５０と軸受け部品４２の貫通孔４４とにわたって垂直支軸１１ａを挿通させた状態で、当該内側嵌合部材４７のコ形部分４８を外側ケース部材４６の内側に嵌合させる。このときコ形部分４８の上下両側壁部４８ａ，４８ｂは、外側ケース部材４６の上下両内側端面に隣接し、当該上下両側壁部４８ａ，４８ｂから突出する垂直支軸１１ａの上下両端部が、外側ケース部材４６の上下両内側端面に形成された窪み部４６ｃに遊嵌し、内側嵌合部材４７に対する垂直支軸１１ａの上下移動が防止されている。又、コ形部分４８が外側ケース部材４６内に嵌合する過程で当該コ形部分４８の両側辺が外側ケース部材４６の左右一対の抜け止め用舌片４６ｄを弾性に抗して外向きに押し広げ、コ形部分４８が外側ケース部材４６の内側底面に隣接する深さまで嵌合したとき、当該左右一対の抜け止め用舌片４６ｄが弾性復帰して、その先端それぞれがコ形部分４８の外側に突出し、外側ケース部材４６からの内側嵌合部材４７の抜け落ちが阻止される。このとき、内側嵌合部材４７の上下両取付け板部４９は、外側ケース部材４６の上下両表面に隣接すると共に、外側ケース部材４６の上下両端より外側に突出している。
【００２２】
上記のように軸受け部材３８と埋設部材３９とを組み合わせた状態では、軸受け部材３８は、埋設部材３９に対して垂直支軸１１ａの軸方向に一定範囲内で相対移動自在であり、図１２に示すように、軸受け部材３８の取付け板４１における垂直板部４１ａを埋設部材３９の凹窪部３９ａの底面、即ち、内側嵌合部材４７におけるコ形部分４８の底面に対して直角向きにしたとき、当該垂直板部４１ａの先端から直角横向きに突出する先端軸受け部３８ａ（軸受け部品４２）が埋設部材３９の凹窪部３９ａ内に納まるように、垂直支軸１１ａの位置は、埋設部材３９の凹窪部３９ａの幅方向の一方に片寄せられている。
【００２３】
埋設部材３９に組み付けられた軸受け部材３８は、その取付け板４１において、中間棚７の前側辺、即ち、支持部材３７の前面に複数本の取付け用ネジ４０により取り付けられる。そして埋設部材３９は、戸単体９Ａの裏面側に刻設された凹部４５に外側ケース部材４６を嵌め込み、当該外側ケース部材４６の左右一対の張出突条部４６ａ，４６ｂを戸単体９Ａの裏面に当接させる。このとき外側ケース部材４６の上下両端から突出している内側嵌合部材４７の上下一対の取付け板部４９が戸単体９Ａの裏面に隣接しているので、これら取付け板部４９をそれぞれ取付け用ネジ５１により戸単体９Ａに固定することにより、戸単体９Ａに対する埋設部材３９の取り付けが完了する。この埋設部材３９の取り付け状態では、外側ケース部材４６は、上下一対の取付け板部４９において取付け用ネジ５１により戸単体９Ａに固定された内側嵌合部材４７と戸単体９Ａの凹部４５との間で挟持固定されたことになる。
【００２４】
次に、図１７〜図２３に基づいて可動体１３及び当該可動体１３と戸単体９Ｂとの間に介装されるヒンジ１４の構造を説明する。可動体１３が係合するスライドガイドレール８は、前側に開放する横向き溝型レール部８ａと、当該横向き溝型レール部８ａの上半部に形成された下向き溝型レール部８ｂとを備えたもので、下向き溝型レール部８ｂが中間棚７の支持部材３７内に埋め込まれる状態で当該支持部材３７の下側に取り付けられている。而して可動体１３は、スライドガイドレール８内に遊嵌する角棒状部材５２の長さ方向両端に、スライドガイドレール８の下向き溝型レール部８ｂに嵌合して垂直軸周りで回転する位置決め用ローラー５３ａ，５３ｂを軸支すると共に、両位置決め用ローラー５３ａ，５３ｂ間において角棒状部材５２に、横向き溝型レール部８ａに嵌合して水平軸周りで回転する支持用ローラー５４を軸支して成るスライダー５５を備えた水平板１３ａから構成されている。
【００２５】
ヒンジ１４は、戸単体９Ｂの外側辺裏面に取り付けられる取付け部材５６と前記可動体１３の先端部とを垂直支軸１４ａによって相対揺動自在に連結して構成されている。可動体１３の先端部は、当該可動体１３を構成する水平板１３ａから一体に折曲連設した垂直板部１３ｂと下側水平板１３ｃとで横向きコ形断面構造に構成され、この上下一対の水平板１３ａ，１３ｃ間にわたって垂直支軸１４ａが垂直に挿通保持されている。取付け部材５６は、戸単体９Ｂの外側辺裏面に取付け用ネジ５７により取り付けられる基板５８と、この基板５８に対して着脱自在なヒンジ側部材５９とで構成されている。基板５８は合成樹脂製のもので、戸単体９Ｂの裏面との間にヒンジ側部材５９を挿入する縦断面コ形の空隙部６０を形成する、一段高くなった板部６１が形成され、この板部６１には、前記空隙部６０内に突出する抜け止め用舌片部６２が一体に切欠き形成されている。
【００２６】
一方のヒンジ側部材５９は、戸単体９Ｂの裏面に沿って前記縦断面コ形の空隙部６０内に差し込み可能な縦断面コ形に成形された金属板から成るもので、その平坦板部５９ａには、前記抜け止め用舌片部６２が係合する係合孔６３が設けられ、両側壁部５９ｂ，５９ｃの後端部、即ち、基板５８側の縦断面コ形の空隙部６０内に奥まで差し込んだときに当該基板５８側の板部６１から突出している後端部は、前記垂直支軸１４ａが垂直に挿通される軸受け部５９ｄに形成されている。
【００２７】
戸単体９Ｂの裏面の所定位置に基板５８を、その縦断面コ形の空隙部６０に対するヒンジ側部材５９の差し込み方向が戸単体９Ｂの外側辺から直角向きとなるように取付け用ネジ５７により取り付け、スライドガイドレール８にスライダー５５を嵌合させた状態の可動体１３に垂直支軸１４ａを介して軸支連結されたヒンジ側部材５９を、基板５８の板部６１と戸単体９Ｂの裏面との間に形成されている縦断面コ形の空隙部６０内に奥まで差し込む。このとき基板５８側の抜け止め用舌片部６２がヒンジ側部材５９の平坦板部５９ａによって弾性に抗して外側へ押し出され、ヒンジ側部材５９の平坦板部５９ａが空隙部６０の奥端に達したとき、抜け止め用舌片部６２が弾性復帰してヒンジ側部材５９の係合孔６３に嵌合し、当該ヒンジ側部材５９が空隙部６０内から抜け出る方向に移動するのを阻止する。尚、抜け止め用舌片部６２の先端には、当該抜け止め用舌片部６２を弾性に抗してヒンジ側部材５９の係合孔６３から離脱させるための操作用突起６２ａが連設されており、戸単体９Ｂを可動体１３側から切り離すとき、操作用突起６２ａにより抜け止め用舌片部６２を弾性に抗してヒンジ側部材５９の係合孔６３から離脱させることにより、基板５８側からヒンジ側部材５９を引き抜くことができる。
【００２８】
以上のようにして、折れ戸１の戸単体９Ａの外側辺裏面側で中間棚７に対応する中間高さ位置を、位置固定ヒンジ１１により中間棚７の前側辺に軸支すると共に、当該折れ戸１の外側辺の下端を、前記位置固定ヒンジ１１の垂直支軸１１ａと同心状の垂直支軸１９を有する戸支持装置１５により床面２上に軸支し、更に折れ戸１の戸単体９Ｂの外側辺裏面側で中間棚７に対応する中間高さ位置を、スライドガイドレール８に係合する可動体１３にヒンジ１４を介して連結することにより、折れ戸１の取り付けが完了する。このとき位置固定ヒンジ１１では、図１３及び図１４に示すように、中間棚７側の軸受け部材３８の先端軸受け部３８ａ（軸受け部品４２）は、戸単体９Ａ側の埋設部材３９の垂直支軸１１ａに対して一定範囲内で上下方向に遊動可能であり、可動体１３との間のヒンジ１４では、図１７及び図２１に示すように、戸単体９Ｂ側のヒンジ側部材５９は、可動体１３側の垂直支軸１４ａに対して一定範囲内で上下方向に遊動可能である。従って、戸支持装置１５の回転操作軸２１を回転操作して折れ戸１の戸単体９Ａの外側辺位置を高さ調整したとき、折れ戸１の全体を平行に昇降移動させることができる。
【００２９】
以上のようにして取り付けられた折れ戸１は、図示していないが、戸単体９Ａ，９Ｂの内側辺近傍に設けられる把手などを利用して外側へ引き出すように操作することにより、図１Ａに示す展開閉じ姿勢から図１Ｂに示すように折れ戸１を折り畳みながら開動させることができる。このとき、戸単体９Ａは、位置固定ヒンジ１１の垂直支軸１１ａと戸支持装置１５の垂直支軸１９とを支点軸にして外側に開動し、戸単体９Ｂの外側辺は、可動体１３をスライドガイドレール８に沿って横動させながら、ヒンジ１４の垂直支軸１４ａを支点軸にして外側へ開動する。
【００３０】
図２に示すように戸単体９Ｂ側の可動体１３が開動限位置まで横動して、折れ戸１の戸単体９Ａと戸単体９Ｂとが重なり合う折り畳み姿勢となったとき、中間棚７を備えた収納空間６が全開される。このとき、図１Ａに基づいて説明したように、位置固定ヒンジ１１の垂直支軸１１ａとセンターヒンジ１０の支点軸との間の水平距離Ｌ１が、可動体１３と戸単体９Ｂとの間のヒンジ１４の垂直支軸１４ａとセンターヒンジ１０の支点軸との間の水平距離Ｌ２よりも短くなるように構成しているので、図２に示すように折れ戸１が折り畳み姿勢となったとき、戸単体９Ａ，９Ｂは、平面視において、折れ戸１の開閉方向（スライドガイドレール８の長さ方向）に関して左右対称形とはならず、可動体１３側の戸単体９Ｂの傾斜角度が大きくなる。即ち、センターヒンジ１０の支点軸と可動体１３側のヒンジ１４の垂直支軸１４ａを結ぶ平面視における仮想直線と、前記垂直支軸１４ａを通る折れ戸１の開閉方向（スライドガイドレール８の長さ方向）と平行な平面視における仮想直線との間の、折れ戸１の閉動方向側の夾角が９０度以上となり、しかもその夾角は、折り畳み姿勢での位置固定ヒンジ１１の垂直支軸１１ａと可動体１３側のヒンジ１４の垂直支軸１４ａとの間の折れ戸１の開閉方向（スライドガイドレール８の長さ方向）と平行な方向での間隔が等しいことを前提として、戸単体９Ａ，９Ｂが左右対称形に折り畳まれるときの前記夾角と比較して大きくなる。
【００３１】
この結果、折り畳み姿勢の折れ戸１に対して、図２に矢印Ｆで示すように、位置固定ヒンジ１１側の戸単体９Ａの内側辺付近を折れ戸閉動方向に押したとき、その作用力Ｆは、センターヒンジ１０の支点軸から折れ戸９Ｂの可動体１３側のヒンジ１４の垂直支軸１４ａに向かって作用する分力ｆ１と、折れ戸１の閉動方向に作用する分力ｆ２とに分かれ、当該折れ戸１の閉動方向に作用する分力ｆ２が、可動体１３をスライドガイドレール８に沿って折れ戸閉動方向に移動させる作用力となり、この分力ｆ２が従来の折れ戸構造よりも大きくなるので、折れ戸１は比較的円滑に閉動を開始することになる。即ち、可動体１３側の折れ戸９Ｂを折れ戸閉動方向に引っ張るように操作しなくとも、前記のように位置固定ヒンジ１１側の戸単体９Ａの内側辺付近を折れ戸閉動方向に押した場合でも、比較的円滑に折れ戸１の閉動を開始させることができるのである。
【００３２】
可動体１３がスライドガイドレール８の閉動限位置まで達して、図１Ａに示すように折れ戸１が完全に展開して、収納空間６を閉じる展開閉じ姿勢になったとき、戸単体９Ａ，９Ｂは、スライドガイドレール８と平行な１つの垂直平面に沿った状態になる。
【００３３】
尚、図示例は本発明の一実施例に過ぎず、例えばスライドガイドレール８は、中間棚７に敷設したが、天井面５や床面５に敷設することもできる。又、位置固定ヒンジ１１は、中間棚７ではなく、側壁３に取り付けることも可能である。
【産業上の利用可能性】
【００３４】
本発明の戸支持装置は、収納空間の開口部を開閉する折れ戸の位置固定ヒンジで軸支される戸単体を床面側で支持する床側位置固定ヒンジとして効果的に利用できる。
【符号の説明】
【００３５】
１    折れ戸
２    床面
６    収納空間
７    中間棚
８    スライドガイドレール
９Ａ，９Ｂ    戸単体
１０    センターヒンジ
１１    位置固定ヒンジ
１１ａ，１４ａ，１９    垂直支軸
１３    可動体
１４    ヒンジ
１５    戸支持装置
１６    本体
１７    床側支持部材
１８    ケース
２０ａ，２０ｂ    傘歯車
２１ａ    雌ネジ孔付き回転体
２１ｂ    回転操作軸
２４    取付け板
２５    軸受け用筒体
２６    ケース本体
２６ｂ    軸孔
２６ｃ    大径孔部
２８    ケース蓋部
２８ａ    大径孔部
２９    ブッシュ
３０    貫通長孔
３１    回り止め用ピン
３２    雌ネジ孔
３６    棚板
３７    支持部材
３８    軸受け部材
３８ａ    先端軸受け部
３９    埋設部材
３９ａ    凹窪部
４１    取付け板
４２    軸受け部品
４６    外側ケース部材
４６ｄ    抜け止め用舌片
４７    内側嵌合部材
４８    コ形部分
４９    取付け板部
５２    角棒状部材
５３ａ，５３ｂ    位置決め用ローラー
５４    支持用ローラー
５５    スライダー
５６    取付け部材
５８    基板
５９    ヒンジ側部材
６０    縦断面コ形の空隙部
６２    抜け止め用舌片部
６３    係合孔
【図１】
2011144501.tif 000003
【図２】
2011144501.tif 000004
【図３】
2011144501.tif 000005
【図４】
2011144501.tif 000006
【図５】
2011144501.tif 000007
【図６】
2011144501.tif 000008
【図７】
2011144501.tif 000009
【図８】
2011144501.tif 000010
【図９】
2011144501.tif 000011
【図１０】
2011144501.tif 000012
【図１１】
2011144501.tif 000013
【図１２】
2011144501.tif 000014
【図１３】
2011144501.tif 000015
【図１４】
2011144501.tif 000016
【図１５】
2011144501.tif 000017
【図１６】
2011144501.tif 000018
【図１７】
2011144501.tif 000019
【図１８】
2011144501.tif 000020
【図１９】
2011144501.tif 000021
【図２０】
2011144501.tif 000022
【図２１】
2011144501.tif 000023
【図２２】
2011144501.tif 000024
【図２３】
2011144501.tif 000025